(57)【特許請求の範囲】
【請求項１】
アンテナ主要構造、付加的な接地領域、プリント基板の一表面上にプリントされた接地領域、電子スイッチ、並びに、前記プリント基板の他の表面上にプリントされたアンテナ給電点および接地点、を備え、
前記アンテナ主要構造が、アンテナの配線構造、前記アンテナ給電点に接触する給電スプリング片、および前記接地点に接触する接地スプリング片を備え、
前記付加的な接地領域が、前記配線構造の真下に位置され、
前記アンテナが低−周波数の周波数バンドで作動する場合に、前記付加的な接地領域と、前記プリント基板の一表面上の前記接地領域と、を切断し、前記アンテナが高−周波数の周波数バンドで作動する場合に、前記付加的な接地領域と、前記プリント基板の一表面上の前記接地領域と、を接続するために、前記電子スイッチが使用される、再構成可能な携帯電話内蔵アンテナであって、
前記付加的な接地領域が、前記プリント基板の一表面上の前記接地領域から切断された場合に、前記アンテナが、モノポールアンテナの特性を示すモノポールアンテナとなるように構成され、
前記付加的な接地領域が、前記プリント基板の一表面上の前記接地領域と接続された場合に、前記アンテナが、ＰＩＦＡアンテナの特性を示すＰＩＦＡアンテナとなるように構成される、アンテナ。
【請求項２】
前記低−周波数の周波数バンドが、８２４−９６０ＭＨｚであり、前記高−周波数の周波数バンドが、１７１０−２１７０ＭＨｚである、請求項１に記載のアンテナ。
【請求項３】
前記電子スイッチが、１つまたは複数の電子スイッチを含む、請求項１に記載のアンテナ。
【請求項４】
前記電子スイッチが、ダイオードまたは周波数選択性ネットワークを用いて実装された、請求項１から３のいずれか一項に記載のアンテナ。
【請求項５】
前記アンテナ主要構造内における前記給電スプリング片および前記接地スプリング片が、圧接方式で、前記プリント基板の他の表面内の前記アンテナ給電点および前記接地点に各々接触している、請求項１から３のいずれか一項に記載のアンテナ。
【請求項６】
アンテナが作動する動作周波数バンドを決定するステップ、；並びに
前記動作周波数バンドが低−周波数の周波数バンドである場合に、電子スイッチにより、付加的な接地領域と、プリント基板の一表面上の接地領域と、を切断するステップ、および、前記動作周波数バンドが高−周波数の周波数バンドである場合に、前記電子スイッチにより、前記付加的な接地領域と、前記プリント基板の一表面上の接地領域と、を接続するステップ
を含む、再構成可能な携帯電話内蔵アンテナの実装方法であって、
前記付加的な接地領域が、前記プリント基板の一表面上の接地領域から切断された場合に、前記アンテナが、モノポールアンテナの特性を示すモノポールアンテナとなるように構成され、
前記付加的な接地領域が、前記プリント基板の一表面上の接地領域と接続された場合に、前記アンテナが、ＰＩＦＡアンテナの特性を示すＰＩＦＡアンテナとなるように構成される、方法。
【請求項７】
前記低−周波数の周波数バンドが、８２４−９６０ＭＨｚであり、前記高−周波数の周波数バンドが、１７１０−２１７０ＭＨｚである、請求項６に記載の方法。
【発明の詳細な説明】
【技術分野】
【０００１】
関連出願の相互参照
本出願は、２００９年１２月２４日に出願された表題“再構成可能な携帯電話内蔵アンテナおよびその実装方法”である中国特許出願公開第２００９１０２１５５５０．４号明細書に対する優先権を主張し、その全体を参照することにより、その内容が、本明細書に組み込まれる。
【０００２】
本発明の実施形態は、概して、アンテナ技術に関し、より具体的には、再構成可能な携帯電話内蔵アンテナおよびその実装方法に関する。
【背景技術】
【０００３】
携帯電話用のアンテナ設計は、２つの課題に直面している：第一に、低−周波数の周波数バンドで作動しつつ、いかにして可能な限り大きなバンド幅を得るかということ、第二に、高−周波数の周波数バンドで作動しつつ、いかにして比吸収率（ＳＡＲ）（携帯電話の電磁放射強度を測定するための指標である）の増大を防ぐかということである。一般的に、携帯電話アンテナに対する２つの一般的に使用されるスキームが存在する：モノポールアンテナとＰＩＦＡアンテナである。モノポールアンテナは、広いバンド幅を有するが、高いＳＲＡを有し、一方、ＰＩＦＡアンテナは、狭いバンド幅を有するが、低いＳＲＡを有する。従来技術において、有限空間内において単一のモノポールアンテナまたはＰＩＦＡアンテナを用いることにより、最適な性能の経験を得ることは困難である。
【発明の概要】
【発明が解決しようとする課題】
【０００４】
本発明の実施形態は、携帯電話用に最適な性能を達成する再構成可能な携帯電話内蔵アンテナおよびその実装方法を提供する。
【課題を解決するための手段】
【０００５】
本発明の実施形態が、再構成可能な携帯電話内蔵アンテナを提供し、該携帯電話内蔵アンテナが：アンテナ主要構造、付加的な接地領域、プリント基板の一表面上にプリントされた接地領域、電子スイッチ、並びに、プリント基板の他の表面上にプリントされたアンテナ給電点および接地点、を備え、；アンテナ主要構造が、アンテナの配線構造、アンテナ給電点に接触する給電スプリング片、および接地点に接触する接地スプリング片を備え、；付加的な接地領域が、配線構造の真下に位置され、；アンテナが低−周波数の周波数バンドで作動する場合に、付加的な接地領域と、プリント基板の一表面上の接地領域と、を切断し、アンテナが高−周波数の周波数バンドで作動する場合に、付加的な接地領域と、プリント基板の一表面上の接地領域と、を接続するために、電子スイッチが使用される。
【０００６】
本発明の実施形態が、再構成可能な携帯電話内蔵アンテナの実装方法を提供し、該方法が、：アンテナが作動する動作周波数バンドを決定するステップ、；並びに、動作周波数バンドが低−周波数の周波数バンドである場合に、電子スイッチにより、付加的な接地領域と、プリント基板の一表面上の接地領域と、を切断するステップ、および、動作周波数バンドが高−周波数の周波数バンドである場合に、電子スイッチにより、付加的な接地領域と、プリント基板の一表面上の接地領域と、を接続するステップと、を含む。
【０００７】
本発明の実施形態において、携帯電話用の最適な性能を達成するために、電子スイッチを構成することにより、アンテナが、大きなバンド幅を有するモノポールアンテナの特性を示すように、低−周波数の周波数バンドで作動しつつ、プリント基板の一表面上の接地領域と、付加的な接地領域とを切断し、低いＳＡＲ値を有するＰＩＦＡアンテナの特性を示すように、高−周波数の周波数バンドで作動しつつ、プリント基板の一表面上の接地領域と、付加的な接地領域とを接続しうる。
【図面の簡単な説明】
【０００８】
【図１】本発明の第一実施形態に従う、再構成可能な携帯電話内蔵アンテナの構造概略図を示す。
【図２】本発明の第二実施形態に従う、再構成可能な携帯電話内蔵アンテナの構造概略図を示す。
【図３】本発明の第三実施形態に従う、再構成可能な携帯電話内蔵アンテナの構造概略図を示す。
【図４】本発明の第四実施形態に従う、再構成可能な携帯電話内蔵アンテナの構造概略図を示す。
【図５】本発明の第五実施形態の方法のフローチャート図である。
【発明を実施するための形態】
【０００９】
本発明のさらなる理解を提供するために、本発明の制限というよりはむしろ開示の一部を形成する添付の図面が示される。
【００１０】
本発明の目的、技術的解決方法、および利点を明確にするために、以下において、様々な実装形態および添付の図面を参照し、これから本発明がより詳細に説明される。本発明の制限というよりはむしろ、本発明を明らかにすることのみを目的として、本明細書において例示的な実装形態およびその説明が提供される。
【００１１】
図１は、本発明の第一実施形態に従う、再構成可能な携帯電話内蔵アンテナの構造概略図を示す。再構成可能な携帯電話内蔵アンテナが、アンテナ主要構造、プリント基板の一表面上にプリントされた接地領域１２、付加的な接地領域１３、電子スイッチ１４、並びに、プリント基板の他の表面上にプリントされたアンテナ給電点１５および接地点１６を備えうる。アンテナ主要構造が、アンテナの配線構造１１１、給電スプリング片１１２、および接地スプリング片１１３を備えうる。給電スプリング片１１２が、アンテナ給電点１５と接触しうる。接地スプリング片１１３が、接地点１６と接触しうる。接地点１５を介して、プリント基板上の回路システムが、アンテナ主要構造に、高周波電流を送り、結果として、空間内に放射線電磁波を形成しうる。付加的な接地領域１３が、アンテナ主要構造内において、配線構造１１１の真下に位置される。アンテナが低−周波数の周波数バンドで作動する場合に、付加的な接地領域１３と、プリント基板の一表面上の接地領域１２と、を切断し、アンテナが高−周波数の周波数バンドで作動する場合に、付加的な接地領域１３と、プリント基板の一表面上の接地領域１２と、を接続するために、電子スイッチ１４が使用される。
【００１２】
ＰＩＦＡおよびモノポールアンテナの構成原理に従うと、アンテナ主要構造下の付加的な接地領域が、非−フローティング状態である場合、すなわち、付加的な接地領域が、プリント基板の一表面上の接地領域に接続される場合、アンテナが、ＰＩＦＡアンテナの特性を示し、アンテナ主要構造下の付加的な接地領域が、フローティング状態である場合、すなわち、付加的な接地領域が、プリント基板の一表面上の接地領域から切断される場合、アンテナが、モノポールアンテナの特性を示しうる。
【００１３】
このため、この実施形態において、電子スイッチ１４は、アンテナが低−周波数の周波数バンドで作動する場合に、付加的な接地領域１３と、プリント基板の一表面上の接地領域１２と、を切断し、アンテナが高−周波数の周波数バンドで作動する場合に、付加的な接地領域１３と、プリント基板の一表面上の接地領域１２と、を接続するように構成され、アンテナが、低−周波数の周波数バンドで作動する間に、モノポールアンテナの特性を示し、高−周波数の周波数バンドで作動する間に、ＰＩＦＡアンテナの特性を示しうる。
【００１４】
従って、この実施形態において、携帯電話用の最適な性能を達成するために、アンテナが、モノポールアンテナの特性を示す場合に、広い動作バンド幅を有し、これによって、低−周波数の周波数バンドにおいて、広い動作バンド幅が必要とされるという課題を解決し、；アンテナが、ＰＩＦＡアンテナの特性を示す場合に、低いＳＡＲ値を有し、これによって、高−周波数の周波数バンドにおいて、低いＳＡＲ値が必要とされるという課題を解決する。
【００１５】
従って、この実施形態において、携帯電話用の最適な性能を達成するために、アンテナが、モノポールアンテナの特性を示す場合に、広い動作バンド幅を有し、これによって、低−周波数の周波数バンドにおいて、広い動作バンド幅が必要とされるという課題を解決し、；アンテナが、ＰＩＦＡアンテナの特性を示す場合に、大きなＳＡＲ値を有し、これによって、高−周波数の周波数バンドにおいて、低いＳＡＲ値が必要とされるという課題を解決する。
【００１６】
この実施形態において、携帯電話内において、低−周波数または高−周波数の周波数バンドのいずれの周波数バンドでシステムが作動するかについて、電子スイッチを制御するＰＣＢ回路を介して検出されうる。ある領域において、携帯電話が低周波数または高周波数のいずれの周波数で作動するかは、通常、オペレーターのネットワークによって決定される。ネットワーク内において周波数バンドを検出するとすぐに、電子スイッチの接続および切断を駆動するために、携帯電話内のＰＣＢ回路が制御信号を出力してよく、低−周波数の周波数バンドが、８２４−９６０ＭＨｚを参照し、高−周波数の周波数バンドが、１７１０−２１７０ＭＨｚを参照する。
【００１７】
この実施形態において、アンテナ主要構造内の配線構造の形状が、曲がりくねった−線構造を有する任意の適当な形状でありうる。付加的な接地領域１３の形状も、任意でありうる。制限されるものではないが、電子スイッチ１４の数が、１つまたは複数でありうる。複数の電子スイッチを備える場合、人間の頭の方向に向かって放射する電磁場を弱めるために、付加的な接地とプリント基板接地との間の接続が、アンテナに関してさらに有効な接地−効果を示し得、ＳＡＲ値の減少に役立つ。
【００１８】
この実施形態において、携帯電話用の最適な性能を達成するために、電子スイッチを構成することにより、この実施形態のアンテナが、低−周波数の周波数バンドにおいてモノポールアンテナの特性を示し、高−周波数の周波数バンドにおいてＰＩＦＡアンテナの特性を示しうる。
【００１９】
実際の実装形態において、付加的な接地領域の形状に従うと、電子スイッチの数および位置が、具体的には以下の実施形態を実施例として挙げる様々な方法で構成されうる。
【００２０】
実装形態において、配線構造が、アンテナ台で支持され、携帯電話ハウジング等の構造部品によって、プリント基板の一表面上の接地領域および付加的な接地領域に沿って固定されうる。
【００２１】
図２は、本発明の第二実施形態に従う、再構成可能な携帯電話内蔵アンテナの構造概略図を示す。再構成可能な携帯電話内蔵アンテナが、配線構造２１と、プリント基板の一表面上の接地領域２２と、付加的な接地領域２３と、電子スイッチ２４と、給電スプリング片２５と、給電点２６と、接地スプリング片２７と、接地点２８とを備えてよく、給電点２６と、接地点２８と、が、プリント基板の他の表面上にプリントされる。配線構造２１が、給電スプリング片２５と、接地スプリング片２７と、に接続される。例えば、圧接方式で、給電スプリング片２５が、給電点２６と接触する。例えば、圧接方式で、接地スプリング片２７が、接地点２８と接触する。アンテナ主要構造内において、付加的な接地領域２３が、配線構造２１の真下に位置される。アンテナが低−周波数の周波数バンドで作動する場合に、付加的な接地領域２３と、プリント基板の一表面上の接地領域２２と、を切断し、アンテナが高−周波数の周波数バンドで作動する場合に、付加的な接地領域２３と、プリント基板の一表面上の接地領域２２と、を接続するために、電子スイッチ２４が使用され、プリント基板の一表面上の接地領域２２の表面と、付加的な接地領域２３と、が、金属層で付着され、伝導性機能を実現する。
【００２２】
この実施形態において、携帯電話のプリント基板上において、低−周波数または高−周波数の周波数バンドのいずれの周波数バンドでシステムが作動するかについて、電子スイッチを制御する機能モジュールを介して検出されてよく、低−周波数の周波数バンドが、８２４−９６０ＭＨｚを参照し、高−周波数の周波数バンドが、１７１０−２１７０ＭＨｚを参照する。
【００２３】
この実施形態において、付加的な接地領域２３が、図２のように示されうる。
【００２４】
この実施形態における配線構造２１の形状が、図２に示されたものに制限されず、他の形状でありうる。２つの電子スイッチが図２に示されているが、この実施形態における電子スイッチの数は、２つに制限されず、１つまたは２つより多くてもよい。また、電子スイッチの位置が、図２に示されたものに制限されない。この実施形態における電子スイッチが、ダイオードまたは周波数選択性ネットワーク、またはスイッチング機能を有する他の素子を用いて実装されうる。複数の電子スイッチを備える場合、人間の頭の方向に向かって放射する電磁場を弱めるために、付加的な接地とプリント基板接地との間の接続が、アンテナに関してさらに有効な接地−効果を示すようにされてよく、ＳＡＲ値の減少に役立つ。
【００２５】
この実施形態において、給電スプリング片、給電点、接地スプリング片および接地点の位置が、図２に示されたものに制限されず、実際の構造に従って、適切に調節されうる。
【００２６】
実装形態において、配線構造が、アンテナ台で支持され、携帯電話ハウジング等の構造部品によって、プリント基板の一表面上の接地領域および付加的な接地領域に沿って固定されうる。
【００２７】
この実施形態において、携帯電話用の最適な性能を達成するために、電子スイッチを構成することにより、この実施形態のアンテナが、低−周波数の周波数バンドにおいてモノポールアンテナの特性を示し、高−周波数の周波数バンドにおいてＰＩＦＡアンテナの特性を示しうる。
【００２８】
図３は、本発明の第三実施形態に従う、再構成可能な携帯電話内蔵アンテナの構造概略図を示す。再構成可能な携帯電話内蔵アンテナが、配線構造３１と、プリント基板の一表面上の接地領域３２と、付加的な接地領域３３と、電子スイッチ３４と、給電スプリング片３５と、給電点３６と、接地スプリング片３７と、接地点３８とを備えてよく、給電点３６と、接地点３８と、が、プリント基板の他の表面上にプリントされる。配線構造３１が、給電スプリング片３５と、接地スプリング片３７と、に接続される。例えば、圧接方式で、給電スプリング片３５が、給電点３６と接触する。例えば、圧接方式で、接地スプリング片３７が、接地点３８と接触する。アンテナ主要構造内において、付加的な接地領域３３が、配線構造３１の真下に位置される。アンテナが低−周波数の周波数バンドで作動する場合に、付加的な接地領域３３と、プリント基板の一表面上の接地領域３２と、を切断し、アンテナが高−周波数の周波数バンドで作動する場合に、付加的な接地領域３３と、プリント基板の一表面上の接地領域３２と、を接続するために、電子スイッチ３４が使用され、プリント基板の一表面上の接地領域３２の表面と、付加的な接地領域３３と、が、金属層で付着され、伝導性機能を実現する。
【００２９】
この実施形態において、携帯電話のＰＣＢ上において、低−周波数または高−周波数の周波数バンドのいずれの周波数バンドでシステムが作動するかについて、電子スイッチを制御する機能モジュールを介して検出されてよく、低−周波数の周波数バンドが、８２４−９６０ＭＨｚを参照し、高−周波数の周波数バンドが、１７１０−２１７０ＭＨｚを参照する。
【００３０】
この実施形態において、付加的な接地領域３３が、図３のように示されうる。
【００３１】
この実施形態における配線構造３１の形状が、図３に示されたものに制限されず、他の形状でありうる。
【００３２】
３つの電子スイッチが図３に示されているが、この実施形態における電子スイッチの数は、３つに制限されず、１つ若しくは２つ、または３つより多くてもよい。また、電子スイッチの位置が、図３に示されたものに制限されない。この実施形態における電子スイッチが、ダイオード若しくは周波数選択性ネットワーク、またはスイッチング機能を有する他の素子を用いて実装されうる。複数の電子スイッチを備える場合、人間の頭の方向に向かって放射する電磁場を弱めるために、付加的な接地とプリント基板接地との間の接続が、アンテナに関してさらに有効な接地−効果を示すようにされてよく、ＳＡＲ値の減少に役立つ。
【００３３】
この実施形態において、給電スプリング片、給電点、接地スプリング片および接地点の位置が、図３に示されたものに制限されず、実際の構造に従って、適切に調節されうる。
【００３４】
実装形態において、配線構造が、アンテナ台で支持され、携帯電話ハウジング等の構造部品によって、プリント基板の一表面上の接地領域および付加的な接地領域に沿って固定されうる。
【００３５】
この実施形態において、携帯電話用の最適な性能を達成するために、電子スイッチを構成することにより、この実施形態のアンテナが、低−周波数の周波数バンドにおいてモノポールアンテナの特性を示し、高−周波数の周波数バンドにおいてＰＩＦＡアンテナの特性を示しうる。
【００３６】
図４は、本発明の第三実施形態に従う、再構成可能な携帯電話内蔵アンテナの構造概略図を示す。再構成可能な携帯電話内蔵アンテナが、配線構造４１と、プリント基板の一表面上の接地領域４２と、付加的な接地領域４３と、電子スイッチ４４と、給電スプリング片４５と、給電点４６と、接地スプリング片４７と、接地点４８とを備えてよく、給電点４６と、接地点４８と、が、プリント基板の他の表面上にプリントされる。配線構造４１が、給電スプリング片４５と、接地スプリング片４７と、に接続される。例えば、圧接方式で、給電スプリング片４５が、給電点４６と接触する。例えば、圧接方式で、接地スプリング片４７が、接地点４８と接触する。アンテナ主要構造内において、付加的な接地領域４３が、配線構造４１の真下に位置される。アンテナが低−周波数の周波数バンドで作動する場合に、付加的な接地領域４３と、プリント基板の一表面上の接地領域４２と、を切断し、アンテナが高−周波数の周波数バンドで作動する場合に、付加的な接地領域４３と、プリント基板の一表面上の接地領域４２と、を接続するために、電子スイッチ４４が使用され、プリント基板の一表面上の接地領域４２の表面と、付加的な接地領域４３と、が、金属層で付着され、伝導性機能を実現する。
【００３７】
この実施形態において、携帯電話のＰＣＢ上において、低−周波数または高−周波数の周波数バンドのいずれの周波数バンドでシステムが作動するかについて、電子スイッチを制御する機能モジュールを介して検出されてよく、低−周波数の周波数バンドが、８２４−９６０ＭＨｚを参照し、高−周波数の周波数バンドが、１７１０−２１７０ＭＨｚを参照する。
【００３８】
この実施形態において、付加的な接地領域４３が、図４のように示されうる。
【００３９】
この実施形態における配線構造４１の形状が、図４に示されたものに制限されず、他の形状でありうる。
【００４０】
６つの電子スイッチが図４に示されているが、この実施形態における電子スイッチの数は、６つに制限されず、６つ未満または６つより多くてもよい。また、電子スイッチの位置が、図４に示されたものに制限されない。この実施形態における電子スイッチが、ダイオード若しくは周波数選択性ネットワーク、またはスイッチング機能を有する他の素子を用いて実装されうる。複数の電子スイッチを備える場合、人間の頭の方向に向かって放射する電磁場を弱めるために、付加的な接地とプリント基板接地との間の接続が、アンテナに関してさらに有効な接地−効果を示すようにされてよく、ＳＡＲ値の減少に役立つ。
【００４１】
この実施形態において、給電スプリング片、給電点、接地スプリング片および接地点の位置が、図４に示されたものに制限されず、実際の構造に従って、適切に調節されうる。
【００４２】
実装形態において、配線構造が、アンテナ台で支持され、携帯電話ハウジング等の構造部品によって、プリント基板の一表面上の接地領域および付加的な接地領域に沿って固定されうる。
【００４３】
この実施形態において、携帯電話用の最適な性能を達成するために、電子スイッチを構成することにより、この実施形態のアンテナが、低−周波数の周波数バンドにおいてモノポールアンテナの特性を示し、高−周波数の周波数バンドにおいてＰＩＦＡアンテナの特性を示しうる。
【００４４】
上記の実施形態において、アンテナによって外に放射された電磁場の分布が、付加的な接地領域の形状の変化につれて異なるものとなり得、アンテナのいくつかのパラメータが異なるものとなる。従って、様々な形状の付加的な接地領域が、様々な要求に従って、選択されうる。
【００４５】
図５は、本発明の第五実施形態の方法のフローチャート図であり、：
ステップ５１：アンテナが作動する動作周波数バンドを決定するステップ、；並びに、
ステップ５２：動作周波数バンドが低−周波数の周波数バンドである場合に、電子スイッチにより、付加的な接地領域と、プリント基板の一表面上の接地領域と、を切断するステップ、および、動作周波数バンドが高−周波数の周波数バンドである場合に、電子スイッチにより、付加的な接地領域と、プリント基板の一表面上の接地領域と、を接続するステップ、を含む。
【００４６】
この実施形態において、携帯電話のプリント基板上において、低−周波数または高−周波数の周波数バンドのいずれの周波数バンドでシステムが作動するかについて、電子スイッチを制御する機能モジュールを介して検出されてよく、低−周波数の周波数バンドが、８２４−９６０ＭＨｚを参照し、高−周波数の周波数バンドが、１７１０−２１７０ＭＨｚを参照する。この実施形態における電子スイッチが、ダイオード若しくは周波数選択性ネットワーク、またはスイッチング機能を有する他の素子を用いて実装されうる。この実施形態における電子スイッチの数が、１つまたは複数でありうる。
【００４７】
付加的な接地領域は、アンテナ主要構造の下に位置された接地領域である。付加的な接地領域が、プリント基板の一表面上の接地領域と切断される場合、アンテナが、広い動作バンド幅を有するモノポールアンテナの特性を示しうる。付加的な接地領域が、プリント基板の一表面上の接地領域と接続される場合、アンテナが、低いＳＡＲ値を有するＰＩＦＡアンテナの特性を示しうる。
【００４８】
この実施形態において、携帯電話用の最適な性能を達成するために、電子スイッチにより、付加的な接地領域と、プリント基板の一表面上の接地領域と、の間の切断および接続を制御することにより、アンテナが、低−周波数の周波数バンドにおいてモノポールアンテナの特性を示し、高−周波数の周波数バンドにおいてＰＩＦＡアンテナの特性を示しうる。
【００４９】
上記の方法の実施形態を実施することが可能なステップの全てまたは一部が、プログラム命令に関連するハードウェアによって行われうることを当業者は理解するだろう。上記のプログラムが、コンピューター可読媒体に記憶されうる。プログラムが実行される場合、上記の方法の実施形態を含むステップが行われうる。上記の記憶媒体が、ＲＯＭ、ＲＡＭ、磁気ディスクまたは光ディスク等の、プログラムコードを記憶することが可能な様々な媒体を含みうる。
【００５０】
上記の特定の実装形態において、本発明の目的、技術的解決方法、および有益な効果が、説明された。当然のことながら、上記の説明は、本発明の保護範囲を制限することが意図されず、本発明の特定の実装形態にすぎない。本発明の精神および原理から逸脱することなく、任意の修正、同等な置換、改善、等が、本発明の保護範囲に含まれるべきである。
【符号の説明】
【００５１】
１２  接地領域
１３  付加的な接地領域
１４  電子スイッチ
１５  給電点
１６  接地点
１１１  配線構造
１１２  給電スプリング片
１１３  接地スプリング片
【図１】
0005532457.tif 000002
【図２】
0005532457.tif 000003
【図３】
0005532457.tif 000004
【図４】
0005532457.tif 000005
【図５】
0005532457.tif 000006